(57)【要約】      （修正有）【課題】多数の大きな風船でも、容易で迅速な作業性があり、作業跡を外観から見えないような装飾用の取付用具を提供する。【解決手段】取付部材の本体３に、多数の係止部２を設け、結束バンドの先端を係止部で固定する事を特徴とする。結束バンド１により本体３をアングルに固定して、風船の口を封止した結束バンドや、装飾物を結束した結束バンドの先端を係止部２に差し込んで固定する方式なので、風船玉や装飾物の取り付け作業が容易で迅速になった。【選択図】図１
0003160284.tif 000002
【実用新案登録請求の範囲】
【請求項１】
取付部材の本体（３）に、多数の係止部（２）を設け、結束バンドの先端を係止部で固定する事を特徴とする取付用具。
【請求項２】
回転放物面の一部を構成する取付部材の本体（４）と、当該、結束バンドの係止部（２）と、結合部（５）を設けた請求項１記載の取付用具。
【考案の詳細な説明】
【考案の詳細な説明】
【技術分野】
【０００１】  本考案は、遊具・宣伝広告・装飾に使用される取付用具に関する物で、特に結束バンドを使用して固定する用具に関する。
【背景技術】
【０００２】  従来は、ゴム風船やフィルム風船を膨らませて、口部を閉じる手段として、口部を結ぶ手段や、風船の口部をスリットに差し込む方法である。【０００３】
【特許文献１】  特開２００４−１６６９１７号公報
【０００４】  上記、公報の装飾体付きゴム風船は、ゴム風船のガス注入口２１ａより注入して膨らませて、注入部２１を受け具４０のスリット４３に挟み込み固定する方法である。【０００５】  しかし、装飾用の大きな風船（直径５０ｃｍ〜１００ｃｍ）は、風船を膨らますガス圧が強く、注入部を結ぶのが力を要する作業なので、樹脂製の結束バンドを使用する場合がある。
【考案が解決しようとする課題】
【０００６】  よって、多数の大きな風船でも、容易で迅速な作業性であり、作業跡を外観から見えないような、装飾用の風船取付け具の開発が要望されていた。
【課題を解決するための手段】
【０００７】  取付部材の本体（３）に、多数の係止部（２）を設け、結束バンドの先端を係止部で固定する事を特徴とする取付用具である。
【０００８】  回転放物面の一部を構成する取付部材の本体（４）と、当該、結束バンドの係止部（２）と、結合部（５）を設けた取付用具である。
【考案の効果】
【０００９】  結束バンド１により本体３をアングルに固定して、風船の口を封止した結束バンドや、装飾物を結束した結束バンドの先端を係止部２に差し込んで固定する方式なので、風船玉や装飾物の取り付け作業が容易で迅速になった。
【００１０】  回転放物面である本体４の略中央部に結束バンドの係止部２を設けたので、装飾物の結束バンドや、風船の口部を結束バンドにより封止して、その結束バンドの先端を係止部２に通すことで、風船や装飾物が固定できる。更に、本体の結合部に棒状の支持具を差し込むだけで装飾体ができる。
【考案を実施するための最良の形態】
【００１１】  本考案の本体３は、長手の板状材が最良であるが、平面板や立体面から成る部材でも好適な様態であり、本体側面に等間隔で多数の係止部２と、本体を固定するために、本体を容易にアングル等に固定できるように、本体に多数の結束バンド１を設けることも最良の形態の一つである。【００１２】  本体４は、立体や平面の回転放物面を湾曲させ凹凸を形成すると、植物のガクとなり色彩のある風船や装飾物が花となり、裏面の筒体からなる結合部５が最良の形態であるが、単なる凸部と凹部により結合する場合も最良の形態の一つである。
【実施例】
【００１３】  以下、この考案の好適な実施例を例示的に詳しく説明する。ただし、この実施例に記載されている構成方法、構成装置、構成内容、構成部品の寸法、材質、形状、その相対配置などは、特に特定的な記載がないかぎりは、この考案の範囲を【００１４】  図２は、例として風船６を膨らまして、口部を結束バンド１で封止したものであり、結束バンド１の先端を切断せずに必要な数を膨らませ準備する。【００１５】  図１は、実施例１であり、長さ５ｍ程度の合成樹脂からなる板状部材の本体３に結束バンド１を数個と、多数の係止部２を設けたもので、図３のようにアングル５に動かないように板状部材を固定したものであり、図４は固定された多数の係止部２に風船の結束バンドの先端を通して、風船を取り付けた状態である。【００１６】  図５は、実施例２の斜視図であり、回転方物面の本体４は、６個の凹凸で構成され、筒体の結合部５を本体の底面に設けたものであり、飾り付けをする場合に、この筒体に金属状の棒体を差し込み固定させる構造である。【００１７】  図７は、風船６の口部を封止した結束バンド１の先端を、回転方物面の本体４にある係止部２に差し込み、風船を本体４に固定した図であり、本体４を果実や草花のガクに見立てたものであり、また結合部５の筒体には、３ｍｍ〜６ｍｍ程度で緑色の色彩を加えた合成樹脂を被覆した金属性の茎を差し込む構造であり容易に風船装飾体ができる構造である。【００１８】  図８は、風船を付けた回転方物面からなる本体４の結合部５に、合成樹脂を被覆した金属性の支柱を茎と、また緑色の合成樹脂で葉のように加工した物を結合させた風船の装飾体である。
【図面の簡単な説明】
【００１９】
【図１】  本考案の斜視図である。
【図２】  風船の説明図である。
【図３】  本考案の本体を固定した正面図である。
【図４】  風船を取り付つけた正面図である。
【図５】  実施例２の取付用具の斜視図である。
【図６】  実施例２の取付用具の斜視図である。
【図７】  実施例２の風船を取り付けた正面図である。
【図８】  実施例２の風船装飾体の正面図である。
【符号の説明】
１・・結束バンド
２・・係止部
３・・板状部材の本体
４・・回転方物面の本体
５・・結合部
６・・風船
７・・アングル
【図１】
0003160284.tif 000003
【図２】
0003160284.tif 000004
【図３】
0003160284.tif 000005
【図４】
0003160284.tif 000006
【図５】
0003160284.tif 000007
【図６】
0003160284.tif 000008
【図７】
0003160284.tif 000009
【図８】
0003160284.tif 000010
【手続補正書】
【提出日】平成20年10月21日(2008.10.21)
【手続補正１】
【補正対象書類名】実用新案登録請求の範囲
【補正対象項目名】全文
【補正方法】変更
【補正の内容】
【実用新案登録請求の範囲】
【請求項１】
板状部材からなる本体（３）と、水平方向の平面部に、等間隔で、差込部を上方に向けた、多数の係止部（２）を設け、結束バンドの先端を係止部で固定する事を特徴とする取付用具。
【請求項２】
回転放物面の一部を構成する取付部材の本体（４）と、当該、背面に筒体と、本体に結束バンドの係止部（２）を設けた請求項１記載の取付用具。
【手続補正書】
【提出日】平成21年2月16日(2009.2.16)
【手続補正１】
【補正対象書類名】実用新案登録請求の範囲
【補正対象項目名】全文
【補正方法】変更
【補正の内容】
【実用新案登録請求の範囲】
【請求項１】
長手方向を構成し板状部材からなる本体（３）と、長手方向の平面部に等間隔に差込部を上方に向けた、多数の係止部（２）を設けた、結束バンドの先端を係止部で固定する事を特徴とする、風船の口部を封じた結束バンドの取付用具。
【請求項２】
回転放物面を形成する略円形のから成る本体（４）の凸部形状を成す背面上の略中心部に１個の係止部（２）と当該、放物面上の係止部に接するように配置した１個の円形をした結合部（５）を設けた、請求項１記載の風船の口部を封じた結束バンドの取付用具。
【手続補正書】
【提出日】平成21年6月13日(2009.6.13)
【手続補正１】
【補正対象書類名】実用新案登録請求の範囲
【補正対象項目名】全文
【補正方法】変更
【補正の内容】
【実用新案登録請求の範囲】
【請求項１】
合成樹脂で長手方向を構成する平面板状部材からなる本体（３）の、長手方向の平面部に四角形状で係止構造を設けた合成樹脂からなる係止部（２）を等間隔に設け、開口部を上方に向け結束バンドを通せる様にして、当該、係止部（２）の側面を本体の側面に固着して、多数の風船を膨らませ口部を結束バンドで固定した後、その結束バンドの先端部を、差し込み係合して止める係止部（２）を設けた事を特徴とする、風船の口部を封じる結束バンドの取付用具。
【請求項２】
合成樹脂で回転放物面を形成する略円形のから成る本体（４）の当該、放物面上の略中央部の裏面に中空円筒からなる結合部（５）を固着して、合成樹脂を被覆した金属の支柱からなる茎を、前記、中空円筒からなる結合部（５）に挿入できる構造で、更に当該本体（４）の略中心部に貫通した係止部（２）を設け、風船を膨らませて口部を結束バンドで固定した後、当該、結束バンドの先端部を、係止部（２）に差し込み係合して止める構造とした事を特徴とする、請求項１記載の風船の口部を封じる結束バンドの取付用具。